【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
印刷装置へ出力する印刷データを生成する情報処理装置であって、
同一の文書データに対して、複数の印刷設定情報を設定する設定手段と、
前記設定手段によって設定された複数の印刷設定情報のそれぞれに対応する印刷部数を設定する印刷部数設定手段と、
前記設定手段で設定された前記複数の印刷設定情報と、前記印刷部数設定手段によって設定された前記複数の印刷設定情報のそれぞれに対応する印刷部数と、前記文書データに基づく印刷データを含む印刷ジョブを生成する生成手段と
前記生成手段で生成した印刷ジョブを、前記印刷装置で印刷すべく出力する出力手段と
を備えることを特徴とする情報処理装置。
【請求項２】
前記生成手段は、前記設定手段で設定された前記複数の印刷設定情報に基づく処理が実行された前記印刷データを含む印刷ジョブを生成する
ことを特徴とする請求項１に記載の情報処理装置。
【請求項３】
前記設定手段は、前記文書データが複数のページから構成される場合に、当該複数のページのそれぞれのページに対して異なる処理内容を設定可能である
ことを特徴とする請求項１または２に記載の情報処理装置。
【請求項４】
前記設定手段によって、前記同一の文書データに対して設定された複数の印刷設定情報を登録する登録手段と、
前記登録手段によって登録された複数の印刷設定情報を利用可能にする制御手段と
を更に備えることを特徴とする請求項１乃至３のいずれか１項に記載の情報処理装置。
【請求項５】
前記処理内容は、通常印刷、地紋印刷、印刷不許可の少なくともいずれかの印刷方法を含む
ことを特徴とする請求項３に記載の情報処理装置。
【請求項６】
情報処理装置から受信する印刷データに基づいて、印刷を実行する印刷装置であって、
前記情報処理装置より、同一の文書データに対して複数の印刷設定情報と、当該複数の印刷設定情報のそれぞれに対応する印刷部数とが設定されている印刷データを受信する受信手段と、
前記受信手段で受信した印刷データに設定されている前記複数の印刷設定情報と、前記複数の印刷設定情報のそれぞれに対応する印刷部数に従って、印刷を制御する印刷制御手段と
を備えることを特徴とする印刷装置。
【請求項７】
前記印刷データは、前記複数の印刷設定情報に基づく処理が実行された前記印刷データを含む
ことを特徴とする請求項６に記載の印刷装置。
【請求項８】
前記印刷制御手段は、前記受信手段で受信した印刷データに設定されている複数の印刷設定情報に従って印刷を制御する
ことを特徴とする請求項６または７に記載の印刷装置。
【請求項９】
当該印刷装置を操作するユーザを識別する識別情報を入力する入力手段と、
前記入力手段から前記識別情報が入力されるまで印刷を実行せずに印刷データを記憶する記憶手段と、
前記入力手段で入力された識別情報に基づいて、前記ユーザのセキュリティレベルを判定する判定手段とを更に備え、
前記印刷制御手段は、前記記憶手段に記憶されている印刷データに設定されている印刷設定情報の内、前記判定手段で判定されたセキュリティレベルに対応する印刷設定情報に従って印刷を実行する
ことを特徴とする請求項６乃至８のいずれか１項に記載の印刷装置。
【請求項１０】
印刷データを生成する情報処理装置、前記印刷データに基づく印刷を実行する印刷装置を有する印刷システムであって、
前記情報処理装置は、
同一の文書データに対して、複数の印刷設定情報を設定する設定手段と、
前記設定手段によって設定された複数の印刷設定情報のそれぞれに対応する印刷部数を設定する印刷部数設定手段と、
前記設定手段で設定された前記複数の印刷設定情報と、前記印刷部数設定手段によって設定された前記複数の印刷設定情報のそれぞれに対応する印刷部数と、前記文書データに基づく印刷データを含む印刷ジョブを生成する生成手段と
前記生成手段で生成した印刷ジョブを、前記印刷装置で印刷すべく出力する出力手段とを備え、
前記印刷装置は、
前記情報処理装置より、複数の印刷設定情報と、当該複数の印刷設定情報のそれぞれに対応する印刷部数とが設定されている印刷データを受信する受信手段と、
前記受信手段で受信した印刷データに設定されている前記複数の印刷設定情報と、当該複数の印刷設定情報のそれぞれに対応する印刷部数に従って、印刷を制御する印刷制御手段と
を備えることを特徴とする印刷システム。
【請求項１１】
印刷装置へ出力する印刷データを生成する情報処理装置の制御方法であって、
同一の文書データに対して、複数の印刷設定情報を設定する設定工程と、
前記設定工程によって設定された複数の印刷設定情報のそれぞれに対応する印刷部数を設定する印刷部数設定工程と、
前記設定工程で設定された前記複数の印刷設定情報と、前記印刷部数設定工程によって設定された前記複数の印刷設定情報のそれぞれに対応する印刷部数と、前記文書データに基づく印刷データを含む印刷ジョブを生成する生成工程と
前記生成工程で生成した印刷ジョブを、前記印刷装置で印刷すべく出力する出力工程と
を備えることを特徴とする情報処理装置の制御方法。
【請求項１２】
情報処理装置から受信する印刷データに基づいて、印刷を実行する印刷装置の制御方法であって、
前記情報処理装置より、同一の文書データに対して複数の印刷設定情報と、当該複数の印刷設定情報のそれぞれに対応する印刷部数とが設定されている印刷データを受信する受信工程と、
前記受信工程で受信した印刷データに設定されている前記複数の印刷設定情報と、前記複数の印刷設定情報のそれぞれに対応する印刷部数に従って、印刷を制御する印刷制御工程と
を備えることを特徴とする印刷装置の制御方法。
【請求項１３】
印刷装置へ出力する印刷データを生成する情報処理装置の制御をコンピュータに実行させるためのプログラムであって、
同一の文書データに対して、複数の印刷設定情報を設定する設定工程と、
前記設定工程によって設定された複数の印刷設定情報のそれぞれに対応する印刷部数を設定する印刷部数設定工程と、
前記設定工程で設定された前記複数の印刷設定情報と、前記印刷部数設定工程によって設定された前記複数の印刷設定情報のそれぞれに対応する印刷部数と、前記文書データに基づく印刷データを含む印刷ジョブを生成する生成工程と
前記生成工程で生成した印刷ジョブを、前記印刷装置で印刷すべく出力する出力工程と
をコンピュータに実行させることを特徴とするプログラム。
【請求項１４】
情報処理装置から受信する印刷データに基づいて、印刷を実行する印刷装置の制御をコンピュータに実行させるためのプログラムであって、
前記情報処理装置より、同一の文書データに対して複数の印刷設定情報と、当該複数の印刷設定情報のそれぞれに対応する印刷部数とが設定されている印刷データを受信する受信工程と、
前記受信工程で受信した印刷データに設定されている前記複数の印刷設定情報と、前記複数の印刷設定情報のそれぞれに対応する印刷部数に従って、印刷を制御する印刷制御工程と
をコンピュータに実行させることを特徴とするプログラム。
【手続補正２】
【補正対象書類名】明細書
【補正対象項目名】０００６
【補正方法】変更
【補正の内容】
【０００６】
上記の目的を達成するための本発明による情報処理装置は以下の構成を備える。即ち、
印刷装置へ出力する印刷データを生成する情報処理装置であって、
同一の文書データに対して、複数の印刷設定情報を設定する設定手段と、
前記設定手段によって設定された複数の印刷設定情報のそれぞれに対応する印刷部数を設定する印刷部数設定手段と、
前記設定手段で設定された前記複数の印刷設定情報と、前記印刷部数設定手段によって設定された前記複数の印刷設定情報のそれぞれに対応する印刷部数と、前記文書データに基づく印刷データを含む印刷ジョブを生成する生成手段と
前記生成手段で生成した印刷ジョブを、前記印刷装置で印刷すべく出力する出力手段と
を備える。
【手続補正３】
【補正対象書類名】明細書
【補正対象項目名】０００７
【補正方法】変更
【補正の内容】
【０００７】
また、好ましくは、前記生成手段は、前記設定手段で設定された前記複数の印刷設定情報に基づく処理が実行された前記印刷データを含む印刷ジョブを生成する。
【手続補正４】
【補正対象書類名】明細書
【補正対象項目名】０００８
【補正方法】変更
【補正の内容】
【０００８】
また、好ましくは、前記設定手段は、前記文書データが複数のページから構成される場合に、当該複数のページのそれぞれのページに対して異なる処理内容を設定可能である。
【手続補正５】
【補正対象書類名】明細書
【補正対象項目名】０００９
【補正方法】変更
【補正の内容】
【０００９】
また、好ましくは、前記設定手段によって、前記同一の文書データに対して設定された複数の印刷設定情報を登録する登録手段と、
前記登録手段によって登録された複数の印刷設定情報を利用可能にする制御手段と
を更に備える。
【手続補正６】
【補正対象書類名】明細書
【補正対象項目名】００１０
【補正方法】変更
【補正の内容】
【００１０】
また、好ましくは、前記処理内容は、通常印刷、地紋印刷、印刷不許可の少なくともいずれかの印刷方法を含む。
【手続補正７】
【補正対象書類名】明細書
【補正対象項目名】００１１
【補正方法】変更
【補正の内容】
【００１１】
上記の目的を達成するための本発明による印刷装置は以下の構成を備える。即ち、
情報処理装置から受信する印刷データに基づいて、印刷を実行する印刷装置であって、
前記情報処理装置より、同一の文書データに対して複数の印刷設定情報と、当該複数の印刷設定情報のそれぞれに対応する印刷部数とが設定されている印刷データを受信する受信手段と、
前記受信手段で受信した印刷データに設定されている前記複数の印刷設定情報と、前記複数の印刷設定情報のそれぞれに対応する印刷部数に従って、印刷を制御する印刷制御手段と
を備える。
【手続補正８】
【補正対象書類名】明細書
【補正対象項目名】００１２
【補正方法】変更
【補正の内容】
【００１２】
また、好ましくは、前記印刷データは、前記複数の印刷設定情報に基づく処理が実行された前記印刷データを含む。
【手続補正９】
【補正対象書類名】明細書
【補正対象項目名】００１３
【補正方法】変更
【補正の内容】
【００１３】
また、好ましくは、前記印刷制御手段は、前記受信手段で受信した印刷データに設定されている複数の印刷設定情報に従って印刷を制御する。
【手続補正１０】
【補正対象書類名】明細書
【補正対象項目名】００１４
【補正方法】変更
【補正の内容】
【００１４】
また、好ましくは、当該印刷装置を操作するユーザを識別する識別情報を入力する入力手段と、
前記入力手段から前記識別情報が入力されるまで印刷を実行せずに印刷データを記憶する記憶手段と、
前記入力手段で入力された識別情報に基づいて、前記ユーザのセキュリティレベルを判定する判定手段とを更に備え、
前記印刷制御手段は、前記記憶手段に記憶されている印刷データに設定されている印刷設定情報の内、前記判定手段で判定されたセキュリティレベルに対応する印刷設定情報に従って印刷を実行する。
【手続補正１１】
【補正対象書類名】明細書
【補正対象項目名】００１５
【補正方法】変更
【補正の内容】
【００１５】
上記の目的を達成するための本発明による印刷システムは以下の構成を備える。即ち、
印刷データを生成する情報処理装置、前記印刷データに基づく印刷を実行する印刷装置を有する印刷システムであって、
前記情報処理装置は、
同一の文書データに対して、複数の印刷設定情報を設定する設定手段と、
前記設定手段によって設定された複数の印刷設定情報のそれぞれに対応する印刷部数を設定する印刷部数設定手段と、
前記設定手段で設定された前記複数の印刷設定情報と、前記印刷部数設定手段によって設定された前記複数の印刷設定情報のそれぞれに対応する印刷部数と、前記文書データに基づく印刷データを含む印刷ジョブを生成する生成手段と
前記生成手段で生成した印刷ジョブを、前記印刷装置で印刷すべく出力する出力手段とを備え、
前記印刷装置は、
前記情報処理装置より、複数の印刷設定情報と、当該複数の印刷設定情報のそれぞれに対応する印刷部数とが設定されている印刷データを受信する受信手段と、
前記受信手段で受信した印刷データに設定されている前記複数の印刷設定情報と、当該複数の印刷設定情報のそれぞれに対応する印刷部数に従って、印刷を制御する印刷制御手段と
を備える。
【手続補正１２】
【補正対象書類名】明細書
【補正対象項目名】００１６
【補正方法】変更
【補正の内容】
【００１６】
上記の目的を達成するための本発明による情報処理装置の制御方法は以下の構成を備える。即ち、
印刷装置へ出力する印刷データを生成する情報処理装置の制御方法であって、
同一の文書データに対して、複数の印刷設定情報を設定する設定工程と、
前記設定工程によって設定された複数の印刷設定情報のそれぞれに対応する印刷部数を設定する印刷部数設定工程と、
前記設定工程で設定された前記複数の印刷設定情報と、前記印刷部数設定工程によって設定された前記複数の印刷設定情報のそれぞれに対応する印刷部数と、前記文書データに基づく印刷データを含む印刷ジョブを生成する生成工程と
前記生成工程で生成した印刷ジョブを、前記印刷装置で印刷すべく出力する出力工程と
を備える。
【手続補正１３】
【補正対象書類名】明細書
【補正対象項目名】００１７
【補正方法】変更
【補正の内容】
【００１７】
上記の目的を達成するための本発明による印刷装置の制御方法は以下の構成を備える。即ち、
情報処理装置から受信する印刷データに基づいて、印刷を実行する印刷装置の制御方法であって、
前記情報処理装置より、同一の文書データに対して複数の印刷設定情報と、当該複数の印刷設定情報のそれぞれに対応する印刷部数とが設定されている印刷データを受信する受信工程と、
前記受信工程で受信した印刷データに設定されている前記複数の印刷設定情報と、前記複数の印刷設定情報のそれぞれに対応する印刷部数に従って、印刷を制御する印刷制御工程と
を備える。
【手続補正１４】
【補正対象書類名】明細書
【補正対象項目名】００１８
【補正方法】変更
【補正の内容】
【００１８】
上記の目的を達成するための本発明によるプログラムは以下の構成を備える。即ち、
印刷装置へ出力する印刷データを生成する情報処理装置の制御をコンピュータに実行させるためのプログラムであって、
同一の文書データに対して、複数の印刷設定情報を設定する設定工程と、
前記設定工程によって設定された複数の印刷設定情報のそれぞれに対応する印刷部数を設定する印刷部数設定工程と、
前記設定工程で設定された前記複数の印刷設定情報と、前記印刷部数設定工程によって設定された前記複数の印刷設定情報のそれぞれに対応する印刷部数と、前記文書データに基づく印刷データを含む印刷ジョブを生成する生成工程と
前記生成工程で生成した印刷ジョブを、前記印刷装置で印刷すべく出力する出力工程と
をコンピュータに実行させることを特徴とする。
【手続補正１５】
【補正対象書類名】明細書
【補正対象項目名】００１９
【補正方法】変更
【補正の内容】
【００１９】
上記の目的を達成するための本発明によるプログラムは以下の構成を備える。即ち、
情報処理装置から受信する印刷データに基づいて、印刷を実行する印刷装置の制御をコンピュータに実行させるためのプログラムであって、
前記情報処理装置より、同一の文書データに対して複数の印刷設定情報と、当該複数の印刷設定情報のそれぞれに対応する印刷部数とが設定されている印刷データを受信する受信工程と、
前記受信工程で受信した印刷データに設定されている前記複数の印刷設定情報と、前記複数の印刷設定情報のそれぞれに対応する印刷部数に従って、印刷を制御する印刷制御工程と
をコンピュータに実行させることを特徴とする。
【手続補正１６】
【補正対象書類名】明細書
【補正対象項目名】００２０
【補正方法】変更
【補正の内容】
【００２０】
本発明によれば、同一の文書データに対して設定された複数の印刷設定情報と、当該複数の印刷設定情報のそれぞれに対応する印刷部数に基づいた印刷を効率的にかつ容易に実行することができる情報処理装置、印刷装置及びそれらの制御方法、印刷システムを提供できる。